(57)【要約】      （修正有）【課題】商品の脱落なく商品の陳列量に応じて商品を円滑に押出すことができる商品陳列ユニットを提供する。【解決手段】商品陳列ユニットにおいて、陳列台に整列された商品を一歩前に滑動させる機能を有する押し手段３を有し、押し手段は、陳列台が有する空間部内において前後方向に移動可能なプッシャー３０と、その上部が商品を前方に滑動するように押し、下部が陳列台似形成された溝状開口部を通してプッシャーに挿入される押し板３１と、押し板の後側に押し板を押す付勢力を与えると共に、プッシャーの移動に連動するように設けられた第１の弾性部材３２と、押し板の前側において設けられ、押し板が商品を押す力を緩衝する逆向きの付勢力を押し板に与える第２の弾性部材３３とを備える。【選択図】図２
0003146426.tif 000002
【実用新案登録請求の範囲】
【請求項１】
長尺状陳列台の上にその前後方向に整列された商品のうち、最前位を陳列位置とした場合において、最前位の商品を取り出したとき、後位に並ぶ商品が、それぞれ一歩前に滑動するようにしたスライド式商品陳列ユニットにおいて、
前記陳列台に整列された前記商品を一歩前に滑動させる機能を有する押し手段を有し、
前記陳列台は、前記押し手段を収容できる空間部を画成する長尺形材にて形成され、前記商品が整列される上面部を有し、前記上面部の中央部に商品の整列方向に沿って溝状開口部が形成され、
前記押し手段は、
前記空間部内において前後方向に移動可能なプッシャーと、
その上部が前記商品を前方に滑動するように押し、下部が前記溝状開口部を通して前記プッシャーに挿入される押し板と、
前記押し板の後側に前記押し板を押す付勢力を与えると共に、前記プッシャーの移動に連動するように設けられる第１の弾性部材と、
前記押し板の前側に設けられ、前記押し板が前記商品を押す力を緩衝する逆向きの付勢力を前記押し板に与える第２の弾性部材とを備えることを特徴とする商品陳列ユニット。
【請求項２】
前記第１の弾性部材として渦巻きばねが用いられ、該渦巻きばねの繰り出された一端部が前記商品を一番前に押すことができる位置に対応して前記陳列台内に固定され、他端部が巻き戻されて前記プッシャーの移動に連動できるように前記プッシャーに取り付けられることを特徴とする請求項１に記載の商品陳列ユニット。
【請求項３】
前記第１の弾性部材として、その一端部が前記プッシャーに固定され、他端部が前記陳列台の後端部側に固定される圧縮ばねが用いられることを特徴とする請求項１に記載の商品陳列ユニット。
【請求項４】
さらに、前記押し手段を前記陳列台の後端部側に移動させ一時停止するための止め手段を有し、
該止め手段は、
その一端が前記プッシャーに固定され、他端が前記陳列台の内部から前記陳列台の後端部を貫通して前記陳列台の外部に延びる引張部材と、
前記引張部材に引張られて前記プッシャーの移動と共に前記第１の弾性部材が連動して前記陳列台内の後端に後退したとき、前記プッシャーを係止又は前記プッシャーの係止状態を解除するようにするための係止部材とを有することを特徴とする請求項１に記載の商品陳列ユニット。
【請求項５】
前記係止部材は、その一端は前記溝状開口部の後端に固定され、他端は前記プッシャーを引っ掛けて止める爪部と前記爪部を起こして前記プッシャーの引掛け状態を解除可能に操作するノブとを有するように折り曲げた金属板であることを特徴とする請求項４に記載の商品陳列ユニット。
【請求項６】
前記商品の整列方向と直交する方向の前記陳列台の両側面に、該両側面の長手方向に沿ったほぞ及び/又はほぞみぞを相対的に外向きに設け、
さらに、前記商品の整列方向と直交する方向の前記陳列台の両側には、前記陳列台に設けられた前記ほぞ及び/又は前記ほぞみぞに対応して連結できる第２のほぞみぞ及び/又は第２のほぞが設けられた前記商品の整列方向に延びるほぞつぎ部材を有することを特徴とする請求項１に記載の商品陳列ユニット。
【請求項７】
さらに、前記商品の整列方向と直交する方向の前記陳列台の両側に立てられる仕切り板を有し、
前記ほぞつぎ部材の上面に、前記商品の整列方向に沿って前記仕切り板を着脱可能に立たせるスロットが設けられることを特徴とする請求項６に記載の商品陳列ユニット。
【請求項８】
前記陳列台の前記ほぞと前記ほぞみぞとにおける一方又は両方の上面部に、前記商品の整列方向に沿って前記仕切り板を着脱可能に立たせるスロットが設けられていることを特徴とする請求項７に記載の商品陳列ユニット。
【考案の詳細な説明】
【技術分野】
【０００１】
本考案は、陳列台の上に前後方向に整列された商品を自動的に前の陳列位置へ繰り出し補充する商品陳列ユニットに関するものである。
【背景技術】
【０００２】
従来、コンビニエンスストアーやスーパー等では、陳列台において前後方向に整列された複数の商品のうち、最前位の商品が取り出されたときに、後位に並ぶ商品が、それぞれ一歩前に滑動するようにしたスライド式商品陳列具が用いられている。スライド式商品陳列具には、例えば図９、１０に示すように、ぜんまいばね９４と、該ぜんまいばね９４を具備するＬ字形ブラケット９３０から構成された巻取りリール９３が備えられている。この巻取りリール９３０は、前後方向に帯状に延びた陳列台９１に設けられた滑り溝９１０に前後移動可能に設けられている。ぜんまいばね９４は、ブラケット９３０に開けられた引出し孔から引っ張り出され、引張端部９４１に設けられた係止穴９４２が係止部材９２のフック９２１と係合されて定位されている。商品を押す役割をも有するブラケット９３０の背板９３１と止め板９６との間には、商品９５、９５、・・・が一列に並べられる。巻取りリール９３から引き出されたぜんまいばね９４は巻き戻す方向に引っ張られるように付勢してあり、陳列された商品９５の一つが前方（図中、フック９２１側）から抜き出されると、ぜんまいばね９４の巻き戻しによりブラケット９３０が前方に移動することで、後方の商品を前方に滑動させることができる。
【考案の開示】
【考案が解決しようとする課題】
【０００３】
上記従来のスライド式商品陳列具では、巻取りリール９３により後方の商品９５を自動的に前方へ滑動させることができ、整理の手間を省くことができるが、最前位の商品９５が真上でなく斜め方向に抜き出されるとき、最前位の商品のすぐ後に並んだ商品９５が最前位の商品９５に引き摺られて陳列台９１から脱落してしまう恐れがある。
【０００４】
本考案は、前記問題点に鑑みてなされたものであり、商品の脱落なく商品の陳列量に応じて商品を円滑に押出すことができる商品陳列ユニットを提供することを目的とする。
【課題を解決するための手段】
【０００５】
上記目的を達成すべく、本考案は、長尺状陳列台の上にその前後方向に整列された商品のうち、最前位を陳列位置とした場合において、最前位の商品を取り出したとき、後位に並ぶ商品が、それぞれ一歩前に滑動するようにしたスライド式商品陳列ユニットにおいて、前記陳列台に整列された前記商品を一歩前に滑動させる機能を有する押し手段を有し、前記陳列台は、前記押し手段を収容できる空間部を画成する長尺形材にて形成され、前記商品が整列される上面部を有し、前記上面部の中央部に商品の整列方向に沿って溝状開口部が形成され、前記押し手段は、前記空間部内において前後方向に移動可能なプッシャーと、その上部が前記商品を前方に滑動するように押し、下部が前記溝状開口部を通して前記プッシャーに挿入される押し板と、前記押し板の後側に前記押し板を押す付勢力を与えると共に、前記プッシャーの移動に連動するように設けられた第１の弾性部材と、前記押し板の前側に設けられ前記押し板が前記商品を押す力を緩衝する逆向きの付勢力を前記押し板に与える第２の弾性部材とを備えるることを特徴とする商品陳列ユニットを提供する。
【０００６】
前記商品陳列ユニットにおいては、第１の弾性部材として、渦巻きばねが用いられるようにしてもよい。該渦巻きばねは、一端部が繰り出され、商品を一番前に押すことができる位置に対応して前記陳列台内に固定され、他端部が巻き戻されて前記プッシャーの移動に連動できるように前記プッシャーに取り付けられる構成とすることができる。
【０００７】
前記商品陳列ユニットにおいては、第１の弾性部材として、その一端部が前記プッシャーに固定され、他端部が前記陳列台の後端部側に固定される圧縮ばねが用いられるようにしてもよい。
【０００８】
前記商品陳列ユニットは、さらに、前記押し手段を前記陳列台の後端部側に移動させ一時停止するための止め手段を有し、該止め手段は、その一端が前記プッシャーに固定され、他端が前記陳列台の内部から前記陳列台の後端部を貫通して前記陳列台の外部に延びる引張部材と、前記引張部材に引張られて前記プッシャーの移動と共に前記第１の弾性部材が連動して前記陳列台内の後端に後退したとき、前記プッシャーを係止又は前記プッシャーの係止状態を解除するようにするための係止部材とを有してもよい。
【０００９】
前記商品陳列ユニットにおいては、係止部材として、その一端は前記溝状開口部の後端に固定され、他端は前記プッシャーを引っ掛けて止める爪部と前記爪部を起こして前記プッシャーの引掛け状態を解除可能に操作するノブとを有するように折り曲げた金属板を用いてもよい。
【００１０】
前記商品陳列ユニットにおいては、前記商品の整列方向と直交する方向の前記陳列台の両側面に、該両側面の長手方向に沿ったほぞとほぞみぞを相対的に外向きに設け、さらに、前記商品の整列方向と直交する方向の前記陳列台の両側には、前記陳列台に設けられた前記ほぞ及び/又は前記ほぞみぞに対応して連結できる第２のほぞみぞ及び/又は第２のほぞが設けられた前記陳列台の商品の整列方向に延びるほぞつぎ部材を有することが好ましい。
【００１１】
前記商品陳列ユニットにおいては、さらに、前記商品の整列方向と直交する方向の前記陳列台の両側に立てられる仕切り板を有し、前記ほぞつぎ部材の上面に、前記商品の整列方向に沿って仕切り板を着脱可能に立たせるスロットが設けられるてもよい。
【００１２】
前記商品陳列ユニットにおいては、また、前記陳列台のほぞと前記ほぞみぞとにおける一方又は両方の上面部に、前記商品の整列方向に沿って仕切り板を着脱可能に立たせるスロットが設けられてもよい。
【考案の効果】
【００１３】
本考案の商品陳列ユニットによれば、最前位の商品を取り出して第１の弾性部材により後位に並ぶ商品がそれぞれ一歩前に滑動するとき、第２の弾性部材の押し板への付勢力により第１の弾性部材による押し板の前位移動を緩衝することができるので、最前位の商品のすぐ後に並んだ商品が最前位の商品に勢い良く引き摺られて陳列台から脱落することがなくなる。
【考案を実施するための最良の形態】
【００１４】
本考案の実施の形態について、図１〜図４を参照して説明する。図１は、本考案の一実施の形態の商品陳列ユニット１の全体構成を示す分解斜視図、図２は、図１の商品陳列ユニット１の横断面図、図３は、商品を前方に押す押し手段３の背面を示す図２のIII−III断面図、図４は、緩衝手段（後述の第２の弾性部材３３）及び押し手段３の上面を示す図２のIV−IV断面図である。商品陳列ユニット１は、長尺状陳列台２の上に前後方向に整列された商品５、５、・・・のうち、最前位の商品５を取り出したとき、後位に並ぶ商品５、５、・・・が、それぞれ一つ前に滑動するようにしたスライド式商品陳列ユニットである。この商品陳列ユニット１は、陳列台２に整列された商品５を一歩前に滑動させる機能を有する押し手段３を備える。
【００１５】
陳列台２は、前後方向に移動可能に押し手段３を収容できる空間部２０を画成するケース状の長尺材で形成されている。陳列台２は、商品が整列される上面部２１と、上面部２１と対面し押し手段３を滑り移動可能にするためのレール２６が設けられる底面部２２と、上面部２１の商品５の陳列方向と直交する方向（左右方向）の端部と底面部２２の左右方向の端部とを接続して押し手段３を収容する空間部２０を画成する２つの側面部２３、２３とを有している。陳列台２の前後方向両端部２ａ、２ｂはエンドキャップ２４、２５によって覆われている。上面部２１の中央部には、商品５の整列方向に沿って溝状開口部２１０が形成されている。エンドキャップ２４の上部には、左右方向に延びるスロット２４０が設けられ、商品５の脱落を防止する立て板８１がスロット２４０に取り付けられている。陳列台２の左右方向両側には、商品５の整列方向と平行になるように仕切り板８２、８２を取り付けることができる。
【００１６】
陳列台２内の底面部２２には、図１に示されるように、陳列台２の構造強度を上げるための前後方向に延びる複数の仕切り２６０、２６０、・・・が形成されると共に、滑り溝２００、２００を画成するレール２６が形成されている。
【００１７】
押し手段３は、この実施の形態において、陳列台２の空間部２０内において前後方向に移動可能なプッシャー３０と、その上部３１１が商品５を前方に滑動するように押し、下部３１２が溝状開口部２１０を通してプッシャー３０に挿入されている押し板３１と、押し板３１の後側に押し板３１を押す付勢力を与えると共に、プッシャー３０の移動に連動するように設けられた第１の弾性部材３２と、押し板３１の前側に設けられ、押し板３１が商品５を押す力を緩衝する逆向きの付勢力を押し板３１に与える第２の弾性部材３３とを備える。
【００１８】
プッシャー３０は、略箱体と、該略箱体の両脇左右対称箇所にボスを介して設けられたローラ対とからなる滑り体で構成することができる。このローラ対を構成するローラそれぞれが滑り溝２００、２００を滑り移動することで、プッシャー３０は、陳列台２の空間部２０を前後方向に移動することができる。プッシャー３０の上面の前側には、押し板３１の下部３１２が挿入されるようにスロット付きの挿入部３０１が突出して形成されている。また、プッシャー３０の上面の後側には、第１の弾性部材３２を収容する中空状収容部３０２が設けられている。
【００１９】
第１の弾性部材３２には、この実施の形態においては、押し板３１の後側に押し板３１を押す付勢力を与えると共に、プッシャー３０の移動に連動する渦巻きばねが用いられている。該渦巻きばね３２は、一端部３２１が滑り溝２００、２００の間に繰り出されて商品５を一番前に押すことができる位置に対応して陳列台２内に例えば前側エンドキャップ２４にねじなどで固定され、他端部３２２が巻き戻されてプッシャー３０の移動に連動できるようにプッシャー３０の中空状収容部３０２に取り付けられている。他端部３２２は、前方に移動しながら巻き取られるように付勢されており、他端部３２２がこのように付勢されることで、プッシャー３０は前方に移動するように付勢されている。
【００２０】
第２の弾性部材３３は、押し板３１の前側、具体的には前側エンドキャップ２４及びプッシャー３０に取り付けられ、空間部２０の滑り溝２００、２００に跨っている。。この実施の形態においては、第２の弾性部材３３として、前記押し板３１が商品５を押す力を緩衝する逆向きの付勢力を生じさせるように、例えば針金で折り曲げた圧縮ばねを用いている。
【００２１】
本考案の商品陳列ユニットにおいては、さらに押し手段３を陳列台２の後端部２ｂ側に移動させ一時係止するための止め手段４が取り付けられている。この止め手段４は、線状引張部材４１と、該引張部材４１に引張られてくるものを一時係止しまたはこの係止状態を解除する係止部材４２とを備える。
【００２２】
引張部材４１としては、コード、ひもなどの線状部材を用いることができる。引張部材４１は、一端４１１がプッシャー３０の例えば挿入部３０１及び中空状収容部３０２の間に固定され、他端４１２が中空状収容部３０２を越えて陳列台２の内部から陳列台２の後側エンドキャップ２５を貫通して陳列台２の外部に延び、ストッパー４１３で固定される。
【００２３】
係止部材４２としては、例えば次のような金属板を用いることができる。金属板の一端４２１は、引張部材４１に引張られてプッシャー３０の移動と共に第１の弾性部材３２が連動して陳列台２内の後端に後退したとき、プッシャー３０を係止又はプッシャー３０の係止状態を解除するように、陳列台２の溝状開口部２１０の後側に固定されている。金属板の他端はプッシャー３０を引っ掛けて止める爪部４２２と爪部４２２を起こしてプッシャー３０の引っ掛け状態を解除可能に操作するノブ４２３とを有するように折り曲げられている。
【００２４】
本考案の商品陳列ユニット１においては、さらに、商品の大きさ及び陳列数等に応じるようにほぞつぎ部材７を用いることができる。
【００２５】
陳列台２は、両側面部２３、２３にほぞみぞ２７とほぞ２８を相対的に外向きに設けている。ほぞつぎ部材７は、その両側に陳列台２に設けられたほぞみぞ２７とほぞ２８に対応して連結できる第２のほぞ７２及び第２のほぞみぞ７１を設け、上面に商品５の陳列方向に沿って延びるように仕切り板８２を立てるスロット７３を形成している。必要に応じて、陳列台２のほぞみぞ２７、ほぞ２８における一方又は両方の上面部に、商品５の整列方向に延びるように仕切り板８２を着脱可能に立たせるスロット２１１が設けられてもよい。
【００２６】
なお、商品の陳列数やサイズに応じて、ほぞみぞ２７及びほぞ２８などのつぎ部は一方がみぞ形、他方がリブ状に形成されているが、必要に応じて両方がみぞ形、リブ状に形成されてもよい。第２のほぞみぞ７１及び第２のほぞ７２などのつぎ部としては、ほぞみぞ２７、ほぞ２８の形状やサイズに応じて形成されるとよい。ほぞつぎ部材７としては、商品のサイズや陳列数に応じて肉厚、長さを適宜変えることができる。
【００２７】
したがって、本考案の商品陳列ユニット１は、簡単に設計変更でき、且つ左右方向の寸法幅が異なる多種類の商品に対応することもでき、商品陳列台２上の商品陳列空間を有効使用することができる。
【００２８】
この構成により、図６に示すように、止め手段４の引張部材４１のストッパー４１３を手指で掴みそのまま引張ると、プッシャー３０が後側に移動し、係止部材４２の爪部４２２に嵌入引っ掛けられ、陳列台２の上面部２１に商品を補充できる。係止部材４２のノブ４２３に押すと、爪部４２２が起きてプッシャー３０の引っ掛け状態が解除され、図２と図４に示されるように、第１の弾性部材である渦巻きばね３２の巻取りによりプッシャー３０が前方に移動し、商品５は押し板３１に押されて前方に滑動する。また、図５に示されているように、最前位の商品５を取り出して第１の弾性部材３２（図２参照）より後位に並ぶ商品がそれぞれ一歩前に滑動するとき、第１の弾性部材３２の巻取りにより第２の弾性部材３３が圧縮されることで、第２の弾性部材３３の押し板３１への逆向き（後向き）の付勢力により第１の弾性部材３２による押し板３１の前位移動を緩衝する。したがって、最前位の商品５の取り出しの際、最前位の商品５のすぐ後に並んだ商品５が最前位の商品５に勢い良く引摺られて陳列台２から脱落することがなくなる。
【００２９】
図７及び８は本考案の他の実施形態である商品陳列ユニット１Ａを示す。この図７、８に示す商品陳列ユニット１Ａと図１〜６に示す商品陳列ユニット１との相違点は、第１の弾性部材３２Ａに圧縮ばねを用い、プッシャー３０Ａに中空状収容部を設けておらず、止め手段４Ａの係止部材（図示せず）にひもを止めるストッパー部材を用いることにある。ストッパー部材としては、引張部材４１を一時的に止める部材を用いればよく、公知のひも止め具を用いることができる。また、圧縮ばねを用いる第１の弾性部材３２Ａの一端３２ａは、プッシャー３０Ａに固定され、他端３２ｂは陳列台の後端側のエンドキャップ２５に固定されている。その他の構成、作用は図１〜図６の実施形態とほぼ同様であり、その説明を省略する。
【００３０】
以上、本考案の実施形態を説明したが、本考案の具体的な構成はこれに限定されず、本考案の要旨を逸脱しない範囲での変更、追加は可能である。
【産業上の利用可能性】
【００３１】
本考案の商品陳列ユニットによれば、商品の抜き出しを円滑に行う効果が奏せられる。
【図面の簡単な説明】
【００３２】
【図１】本考案の一実施の形態である商品陳列ユニットの全体構成を示す分解斜視図である。
【図２】図１の商品陳列ユニットの横断面図である。
【図３】押し手段の背面を示す図２のIII−III断面図である。
【図４】緩衝手段及び押し手段の上面を示す図２のIV−IV断面図である。
【図５】図４の商品陳列ユニットの使用状態を示す平面断面図である。
【図６】図４の商品陳列ユニットの使用状態を示す横断面図である。
【図７】本発明の他の実施形態である商品陳列ユニットの一部を省略した本発明の他の実施形態に係る商品陳列ユニットの概略平面図である。
【図８】図７の商品陳列ユニットの使用状態を示す平面図である。
【図９】従来の商品陳列具を示す分解斜視である。
【図１０】従来の商品陳列具を示す側面図である。
【符号の説明】
【００３３】
１、１Ａ…商品陳列ユニット
２…陳列台
２０…空間部
２００…滑り溝
２１…上面部
２１０…溝状開口部
２１１…スロット
２２…底面部
２３…側面部
２４、２５…エンドキャップ
２４０…スロット
２６…レール
２６０…仕切り
２７…ほぞみぞ
２８…ほぞ
２ａ、２ｂ…両端
３…押し手段
３０、３０Ａ…プッシャー
３０１…挿入部
３０２…中空状収容部
３１…押し板
３１１…上部
３１２…下部
３２、３２Ａ…第１の弾性部材
３２１…一端部
３２２…他端部
３２ａ、３２ｂ…端
３３…第２の弾性部材
４、４Ａ…止め手段
４１…引張部材
４１１…一端
４１２…他端
４１３…ストッパー
４２…係止部材
４２１…一端
４２２…爪部
４２３…ノブ
５…商品
７…ほぞつぎ部材
７１…第２のほぞみぞ
７２…第２のほぞ
７３…スロット
８１…立て板
８２…仕切り板
【図１】
0003146426.tif 000003
【図２】
0003146426.tif 000004
【図３】
0003146426.tif 000005
【図４】
0003146426.tif 000006
【図５】
0003146426.tif 000007
【図６】
0003146426.tif 000008
【図７】
0003146426.tif 000009
【図８】
0003146426.tif 000010
【図９】
0003146426.tif 000011
【図１０】
0003146426.tif 000012